(57)【要約】【課題】  コーナー用柱を取り付けるための連結軸を簡易な構成により隠蔽することができるようにすること。【解決手段】  コーナー用柱２０は、相互に交わる方向に配置されてコーナーＣを形成する第１及び第２のパネル部材１６ａ，１６ｂのコーナーＣ側の端部１６Ａ，１６Ａ間に設けられる。コーナー用柱２０は、コーナーＣ側の端部１６Ａ，１６Ａ間に位置し、第１のパネル部材１６ａに第１のねじ３７を介して連結される内側部材３５と、この内側部材３５に第２のねじ３８を介して連結された外側部材３６とを備えている。第１のねじ３７は外側部材３６により隠蔽され、第２のねじ３８は、第２のパネル部材１６ｂにより隠蔽される。【選択図】      図５
2006241822.tif 000002
【特許請求の範囲】
【請求項１】
相互に交わる方向に配置されてコーナーを形成する一対のパネル部材のコーナー側端部間にコーナー用柱を取り付けるための取付構造であって、
前記コーナー用柱は、前記各コーナー側端部間に位置するとともに、一方のパネル部材に第１の連結軸を介して連結される内側部材と、この内側部材に第２の連結軸を介して連結されるとともに、前記コーナーの外側に表出する位置に設けられた外側部材とを含み、
前記第１の連結軸は外側部材により隠蔽される一方、第２の連結軸は、他方のパネル部材により隠蔽されることを特徴とするコーナー用柱の取付構造。
【請求項２】
前記内側部材は、各パネル部材のコーナー側端部にそれぞれ沿って位置する第１及び第２の面と、これら第１及び第２の面の外方端部間に連なる第３の面とを備えた柱状に形成される一方、
前記外側部材は、前記第３の面に沿って位置する内部形成面と、この内部形成面の平面視で両端側に連なって外方に膨出する円弧状面とを備えた柱状に形成されていることを特徴とする請求項１記載のコーナー用柱の取付構造。
【請求項３】
前記各パネル部材は、これらの内面に形成された凹部内に跨って位置する固定部材を介して連結される一方、
前記内側部材は、前記凹部に連なる部分に位置決め凹部を備えていることを特徴とする請求項１又は２記載のコーナー用柱の取付構造。
【発明の詳細な説明】
【技術分野】
【０００１】
本発明は、コーナー用柱の取付構造に係り、更に詳しくは、パネル部材により形成されるコーナーにコーナー用柱を体裁良く取り付けることができるコーナー用柱の取付構造に関する。
【背景技術】
【０００２】
従来より、複数枚のパネル部材を相互に連結することにより組み立てられる防音室が利用されている。このような防音室の壁を形成する場合、平面視略方形状に各パネル部材を立設する一方、コーナーを形成する各パネル部材のコーナー側端部間にコーナー用柱を設け、各コーナー側端部を隠蔽したタイプのものがある。コーナー用柱は、各パネル部材のコーナー側端部間に取り付けられる柱状の内側部材と、この内側部材の外側を被覆する薄板状のカバー部材とを備えている。
【発明の開示】
【発明が解決しようとする課題】
【０００３】
しかしながら、前記コーナー用柱にあっては、内側部材にカバー部材を取り付けるべく接着剤を用いた場合、防音室の分解及び再組み立て時に、それらの剥離作業等に多大な労力が必要となる他、カバー部材の接着領域等が損傷し易くなる。このため、一度防音室を設置すると、パネル部材のレイアウトを変更したり、防音室を移設して再利用することが困難になるという不都合を生じる。
ここで、カバー部材の外側からねじを打ち込んで当該カバー部材を取り付ける形態も考えられるが、この場合、ねじが表出しないようにするため、キャップやシールを装着する等、部品点数や作業労力が増大するという不都合を招来する。
【０００４】
［発明の目的］
本発明は、このような点に着目して案出されたものであり、その目的は、コーナー用柱を取り付けるためのねじ等からなる連結軸を簡易な構成により隠蔽することができるコーナー用柱の取付構造を提供することにある。
また、本発明の他の目的は、パネル部材に対する着脱を複数回行えるようにコーナー用柱の強度を高めることができるコーナー用柱の取付構造を提供することにある。
【課題を解決するための手段】
【０００５】
前記目的を達成するため、本発明は、相互に交わる方向に配置されてコーナーを形成する一対のパネル部材のコーナー側端部間にコーナー用柱を取り付けるための取付構造であって、
前記コーナー用柱は、前記各コーナー側端部間に位置するとともに、一方のパネル部材に第１の連結軸を介して連結される内側部材と、この内側部材に第２の連結軸を介して連結されるとともに、前記コーナーの外側に表出する位置に設けられた外側部材とを含み、
前記第１の連結軸は外側部材により隠蔽される一方、第２の連結軸は、他方のパネル部材により隠蔽される、という構成が採用されている。
【０００６】
本発明において、前記内側部材は、各パネル部材のコーナー側端部にそれぞれ沿って位置する第１及び第２の面と、これら第１及び第２の面の外方端部間に連なる第３の面とを備えた柱状に形成される一方、
前記外側部材は、前記第３の面に沿って位置する内部形成面と、この内部形成面の平面視で両端側に連なって外方に膨出する円弧状面とを備えた柱状に形成される、という構成を採ることが好ましい。
【０００７】
また、前記各パネル部材は、これらの内面に形成された凹部内に跨って位置する固定部材を介して連結される一方、
前記内側部材は、前記凹部に連なる部分に位置決め凹部を備える、という構成も採用される。
【０００８】
なお、本明細書及び特許請求の範囲において、特に明示しない限り、「内側」、「内方」、「内部」、「内」とは、コーナーの入隅側すなわち図１中下側について用いられる一方、「外側」、「外方」、「外部」、「外」とは、その反対側について用いられる。
【発明の効果】
【０００９】
本発明によれば、パネル部材及びコーナー用柱以外の特別な部品等を用いることなく各連結軸を隠蔽することができ、外観上の体裁を良好に保ちつつ、部品点数や作業労力を抑制することが可能となる。しかも、各連結軸をねじにより構成した場合、内側部材及び外側部材の着脱を容易に行えるようになり、従来例の接着の場合に生じる不都合を解消することができる。
【００１０】
また、内側部材が第１ないし第３の面を有する三角柱状に形成される一方、円弧状面により外側部材に厚みを持たせることができるので、内側部材及び外側部材の強度を高め、これらの取り付け及び取り外しを繰り返し行えるような耐久性を付与することが可能となる。これにより、各パネル部材及びコーナー用柱のレイアウト変更や移設を行うときに、これらの分解及び再組み立てを容易且つスムースに行うことができる。しかも、内側部材及び外側部材における連結軸の挿入深さを長く設定でき、各部材の連結強度やパネル部材との連結強度を向上させることも可能となる。
【００１１】
更に、内側部材に位置決め凹部を設けたので、固定部材の取り付け前に内側部材の取り付けを行うときに、パネル部材の凹部と位置決め凹部とに跨る部材を配置することで、内側部材の位置決めを容易に行うことができる。つまり、固定部材を取り付けるために形成された凹部を利用して位置決めを行うことができるので、内側部材の取り付け精度を高めつつ、パネル部材等の加工工数を少なくすることが可能となる。
【発明を実施するための最良の形態】
【００１２】
以下、本発明の実施の形態について図面を参照しながら説明する。
【００１３】
図１には、実施形態に係る取付構造が適用された防音室の概略平面断面図が示されている。この図において、防音室１０は、本実施形態では、既設の住宅や建物の室内で組み立て可能ないわゆるノックダウンタイプとされ、室内の床面上に設置される。防音室１０は、平面視略方形状に形成される壁体１２と、これら壁体１２で囲まれる室内空間を上下両端側から閉塞する天井部材（図示省略）及び床部材１３とを備えて構成されている。
【００１４】
前記壁体１２は、複数枚のパネル部材１６を組み合わせることにより形成され、図１中右側上部のパネル部材１６のみ、防音室１０の出入り口を形成するドアセットを備えて他のパネル部材１６の約２倍の幅に形成されている。ここで、壁体１２において、隣り合うパネル部材１６，１６が略同一面内に位置する場合、これらパネル部材１６，１６は、横並び用連結具１７を介して相互に連結されている。一方、相互に交わる方向に配置されて壁体１２のコーナーＣを形成する各パネル部材１６，１６は、複数のコーナー用連結具１９を介して相互に連結され、各パネル部材１６，１６のコーナーＣ側の端部１６Ａ，１６Ａ間にはコーナー用柱２０が設けられている。
【００１５】
前記各パネル部材１６は、図２（Ｃ）に示されるように、縦長の長方形状に形成されている。各パネル部材１６の内面１６Ｂ側には、同図中左右の各端部１６Ａ，１６Ａに沿って凹部１６Ｃが上下三箇所位置にそれぞれ形成されている。各凹部１６Ｃは、図３に示されるように、内面１６Ｂ側を部分的に面落ちさせることによりそれぞれ形成されるとともに、後述する固定部材に対応する正面形状を備えている。また、図２（Ｃ）に示されるように、パネル部材１６の右側の端部１６Ａの上部位置には、突起体２２が設けられている一方、左側の端部１６Ａには突起体２２と略同一高さ位置に凹状の受容部２３が設けられている。従って、パネル部材１６を同一面内で並べたときに、隣り合うパネル部材１６の突起体２２が受容部２３内に受容されて位置決めを行えるようになっている。なお、図３において、隣り合うパネル部材１６，１６は、端部１６Ａ，１６Ａの間に数ミリ幅の隙間Ｓを介して配置され、この隙間Ｓには、発泡体や弾性体からなる二本の充填材２４が介在されている。
【００１６】
前記横並び用連結具１７は、隙間Ｓの左右両側に位置する各凹部１６Ｃ，１６Ｃ内に受容されて当該凹部１６Ｃ，１６Ｃに跨って位置する固定部材２７と、この固定部材２７をパネル部材１６に取り付けるための二本のねじ２８，２８と、各凹部１６Ｃ，１６Ｃ内に受容されて固定部材２７及びねじ２８，２８を内面側から隠蔽するカバー２９とを備えて構成されている。
【００１７】
前記固定部材２７は、磁気を帯びることが可能なスチール等の金属製の板状体により形成されるとともに、正面視横長の略小判型となる外形形状に設けられている。固定部材２７の面内には、前記ねじ２８，２８を挿通する一対の穴２７Ａ，２７Ａが形成され、各穴２７Ａ，２７Ａに挿通されたねじ２８，２８が凹部１６Ｃ，１６Ｃの下穴１６Ｄ，１６Ｄにねじ込まれるようになっている。また、カバー２９は、固定部材２７と略同一となる外形を備えた薄板状に設けられるとともに、磁力によって固定部材１７に接合可能な所定の磁性体によって形成されている。なお、カバー２９及び固定部材２７の厚みは、これらを凹部１６Ｃ，１６Ｃ内に受容させた状態で、カバー２９の表面がパネル部材１６の内面１６Ｂと略面一となるように設定されている。
【００１８】
前記コーナー用連結具１９は、図４に示されるように、コーナーＣを形成する各パネル部材１６，１６を相互に連結すべく、前記横並び用連結具１７の構成部品の形状を変更したものである。すなわち、コーナー用連結具１９は、平面視略Ｌ字状の屈曲形状をなす固定部材３１と、この固定部材３１をパネル部材１６に取り付けるための二本のねじ３２，３２と、固定部材３１の内面側及びねじ３２，３２を隠蔽する左右一対のカバー３３，３３とを備えて構成されている。固定部材３１は、コーナーＣを挟む両側に位置する各凹部１６Ｃ，１６Ｃ内に受容されて当該凹部１６Ｃ，１６Ｃに跨って位置する。
【００１９】
なお、以下のコーナー用柱２０の説明において、特に明記しない限り、前記コーナーＣを形成する一対のパネル部材１６，１６を、第１のパネル部材１６ａ及び第２のパネル部材１６ｂとし、第１のパネル部材１６ａは、図５中横方向に向けられたパネル部材１６とするとともに、第２のパネル部材１６ｂは、同図中縦方向に向けられたパネル部材１６とする。
さて、コーナー用柱２０は、図５にも示されるように、第１及び第２のパネル部材１６ａ，１６ｂのコーナーＣ側の端部１６Ａ，１６Ａ間における内側に配置された横断面視略三角形状の内側部材３５と、この内側部材３５に連結されてコーナーＣの外側に表出するとともに、横断面視略かまぼこ状をなす外側部材３６とを含んで構成されている。内側部材３５は、図５中横方向に向けられた第１の連結軸としての第１のねじ３７を介して第１のパネル部材１６ａに連結される一方、外側部材３６は、同図中縦方向に向けられた第２の連結軸としての第２のねじ３８を介して内側部材３５に連結されている。
【００２０】
前記内側部材３５は、第１のパネル部材１６ａのコーナーＣ側の端部１６Ａに沿って位置する第１の面４１と、第２のパネル部材１６ｂのコーナーＣ側の端部１６Ａに沿って位置するとともに、第１の面４１と略直交する方向に向けられた第２の面４２と、これら第１及び第２の面４１，４２の外方端部側に連なる第３の面４３とを備えた柱状に形成されている。第３の面４３と第１の面４１との間には、第１のねじ３７が挿入される第１の段付き穴４５が形成されている。一方、第２の面４２と第３の面４３との間には、第２のねじ３８が挿入される第２の段付き穴４６が形成されている。第１及び第２の段付き穴４５，４６は、図２（Ｂ）に示されるように、上下に所定間隔毎を隔ててそれぞれ複数設けられている。第２の面４２には、上下三箇所位置に位置決め凹部４７が形成されている。これら位置決め凹部４７は、前記パネル部材１６の各凹部１６Ｃと略同一上下位置にそれぞれ設けられ、且つ、その凹み量も凹部１６Ｃと略同一に設定されている。また、第２の面４２の上部領域には、前記突起体２２との干渉を回避するための凹状部４９が形成されている。図５に示されるように、第２の面４２と第２のパネル部材１６ｂの端部１６Ａの間には、隙間Ｓが形成され、当該隙間Ｓに前記充填材２４と同様の素材からなる充填材５０が設けられる。第３の面４３は、図５中紙面直交方向に延びる溝４３Ａを備えており、当該溝４３Ａには、薄板状をなすほぞ部材５１が圧入されている。
【００２１】
前記外側部材３６は、前記第３の面４３に沿って位置する内部形成面５３と、この内部形成面５３の両端側に面取り部５４，５４を介して連なる円弧状面５５とを備えた柱状に形成されている。内側形成面５３は、前記ほぞ部材５１を圧入可能な溝５３Ａを面内に備えている。各面取り部５４，５４は、第１及び第２のパネル部材１６ａ，１６ｂの端部１６Ａ，１６Ａとの間に隙間Ｓを介して位置し、当該隙間Ｓに前記充填材２４と同様の素材からなる充填材５７，５８が設けられている。なお、第２のパネル部材１６ｂとの隙間Ｓの充填材５０，５７は、各パネル部材１６の互換性をもたせるため、全てのパネル部材１６の一方の端部１６Ａに予め貼付されていることが好ましい。また、第１のパネル部材１６ａと外側部材３６との隙間Ｓの充填材５８は、当該外側部材３６側に予め貼付するとよい。円弧状面５５は、第１及び第２のパネル部材１６ａ，１６ｂの各外面に連なって位置する平面視略四分円状に形成され、外方に向かって膨出する形状を備えている。
【００２２】
次に、コーナー用柱２０の取り付け方法について、図５ないし図９を用いて説明する。
【００２３】
先ず、図６に示されるように、第１のパネル部材１６ａのコーナーＣ側の凹部１６Ｃのうち、少なくとも一箇所の凹部１６Ｃに横並び連結具１７の固定部材２７をねじ２８により取り付け、当該固定部材２７の図６中左半分領域が端部１６Ａよりはみ出た状態とする。これと前後して、内側部材３５の溝４３Ａ内にほぞ部材５１を圧入する。そして、内側部材３５の第１の面４１を端部１６Ａに当接させるとともに、位置決め凹部４７内に前記固定部材２７のはみ出た部分を受容させ（図７参照）、第１のパネル部材１６ａに内側部材３５を仮固定しつつ上下方向に対する位置決めを行う。この状態で、内側部材３５の第１の段付き穴４５に第１のねじ３７を挿通して第１のパネル部材１６ａの端部１６Ａにねじ込み、内側部材３５と第１のパネル部材１６ａとを連結する。この連結を行った後、前記固定部材２７及びねじ２８を第１のパネル部材１６ａ及び内側部材３５から取り外す。
【００２４】
次いで、図８に示されるように、内側部材３５の第３の面４３と外側部材３６の内部形成面５３とを当接させ、外側部材３６の溝５３Ａ内にほぞ部材５１を圧入し、外側部材３６の上下位置を保持する。この状態で、内側部材３５の第２の段付き穴４６に第２のねじ３８を挿通して外側部材３６の内部形成面５３側にねじ込み、外側部材３６と内側部材３５とを連結する（図９参照）。これにより、第１のねじ３７の頭部は、外側部材３６により隠蔽される。そして、内側部材３５の第２の面４２と第２のパネル部材１６ｂの端部１６Ａが相対するように配置し、第２のねじ３８を隠蔽する。その後、第１及び第２のパネル部材１６ａ，１６ｂの各凹部１６Ｃ，１６Ｃ内に、コーナー用連結具１９の固定部材３１を嵌め込み、各ねじ３２，３２を介して固定部材３１を凹部１６Ｃ，１６Ｃ内に取り付けた後、固定部材３１の内面側にカバー３３，３３を磁性的に接合する。これにより、図５に示されるように、コーナー用柱２０が第１及び第２のパネル部材１６ａ，１６ｂの端部１６Ａ，１６Ａ間に取り付けられるとともに、当該端部１６Ａ，１６Ａがコーナー用柱２０により隠蔽される。
【００２５】
従って、このような実施形態によれば、第１及び第２のねじ３７，３８がコーナーＣの内外から表出しなくなり、ねじ隠蔽専用の各種部材を用いることを回避でき、部品点数を削減することが可能となる。しかも、外側部材３６が横断面視かまぼこ状をなすので、コーナーＣに向かって次第に厚みが増大する形状をなすことととなり、第２のねじ３８の先端側をねじ込む領域を十分に確保して外側部材３６の取り付け強度を向上させることができる。
【００２６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２７】
例えば、前記実施形態において、第１及び第２の連結軸をねじ３７，３８により構成したが、釘やほぞ等の他の軸状部材に変更することも考えられる。但し、パネル部材１６に対するコーナー用柱２０の着脱を繰り返し行うことを考慮すると、前記ねじ３７，３８を用いた方が有利となる。
また、位置決め凹部４７の形成数及び形成位置は、少なくとも一箇所の凹部１６Ｃの形成位置に対応する限りにおいて、適宜変更してもよい。
【図面の簡単な説明】
【００２８】
【図１】実施形態に係るコーナー用柱の取付構造が適用された防音室の概略平面断面図。
【図２】（Ａ）は、図１中Ａ方向から見た外側部材の正面図、（Ｂ）は、同内側部材の正面図、（Ｃ）は、同パネル部材の正面図。
【図３】前記防音室を構成する横並び連結具及びその周辺部分の部分概略斜視図。
【図４】前記防音室のコーナーの部分概略斜視図。
【図５】図１の要部拡大図。
【図６】パネル部材に内側部材を取り付ける準備状態を示す平面断面図。
【図７】パネル部材に内側部材が取り付けられる直前の図６と同様の断面図。
【図８】内側部材に外側部材を取り付ける前の図６と同様の断面図。
【図９】コーナー用連結具を取り付ける前の図６と同様の断面図。
【符号の説明】
【００２９】
１６・・・パネル部材、１６Ａ・・・端部、１６Ｂ・・・内面、１６Ｃ・・・凹部、２７・・・固定部材、３１・・・固定部材、３５・・・内側部材、３６・・・外側部材、３７・・・第１のねじ（第１の連結軸）、３８・・・第２のねじ（第２の連結軸）、４１・・・第１の面、４２・・・第２の面、４３・・・第３の面、４７・・・位置決め凹部、５３・・・内部形成面、５５・・・円弧状面、Ｃ・・・コーナー
【図１】
2006241822.tif 000003
【図２】
2006241822.tif 000004
【図３】
2006241822.tif 000005
【図４】
2006241822.tif 000006
【図５】
2006241822.tif 000007
【図６】
2006241822.tif 000008
【図７】
2006241822.tif 000009
【図８】
2006241822.tif 000010
【図９】
2006241822.tif 000011